(57)【要約】      （修正有）【課題】特に多様な海洋生物による豊かな魚礁を構築可能な魚礁ブロックを提供する。【解決手段】魚礁ブロック１は、円柱状の本体部１０と、本体部１０の下端外周に周設されている基礎部２０と、を備え、本体部１０が本体枠１１とその内部の本体充填材１２を有し、基礎部２０が基礎枠２１とその内部に充填されている基礎充填材２２を有し、本体枠１１と基礎枠２１が金網型枠であることを特徴とする。【選択図】図１
2019030251.tif 000002
【特許請求の範囲】
【請求項１】
魚礁ブロックであって、
円柱状の本体部と、前記本体部の下端外周に周設されている基礎部と、を備え、
前記本体部は、円筒状の本体枠と、前記本体枠の内部に充填されている本体充填材と、を有し、
前記基礎部は、円筒状の基礎枠と、前記本体枠と前記基礎枠の間に充填されている基礎充填材と、を有し、
前記本体枠及び前記基礎枠は、金網型枠であることを特徴とする、
魚礁ブロック。
【請求項２】
前記本体充填材及び前記基礎充填材がコンクリートであり、前記本体充填材と前記基礎充填材とが、前記本体枠の網目を介して一体化していることを特徴とする、請求項１に記載の魚礁ブロック。
【請求項３】
前記本体枠、又は前記基礎枠の少なくとも一方が、複数の列線を無端帯状に連結した菱形金網からなる型枠材と、前記型枠材を内部から押圧して形状保持する複数の形状保持材を有することを特徴とする、請求項１又は２に記載の魚礁ブロック。
【請求項４】
前記形状保持材が、円環状の線材からなることを特徴とする、請求項３に記載の魚礁ブロック。
【請求項５】
前記本体枠の表面から前記本体充填材内に至る本体孔、及び前記基礎枠の表面から前記基礎充填材内に至る基礎孔、の少なくとも一方を有することを特徴とする、請求項１乃至４のいずれか一項に記載の魚礁ブロック。  
【請求項６】
前記本体孔内から外方に突出した本体管、及び前記基礎孔内から外方に突出した基礎管、の少なくとも一方を有することを特徴とする、請求項５に記載の魚礁ブロック。
【請求項７】
前記本体枠内における前記本体充填材の上方、及び前記基礎枠内における前記基礎充填材の上方、の少なくとも一方に、定着空間を有することを特徴とする、請求項１乃至６のいずれか一項に記載の魚礁ブロック。
【請求項８】
前記本体充填材および前記基礎充填材が水中コンクリートであることを特徴とする、請求項２に記載の魚礁ブロック。
【発明の詳細な説明】
【技術分野】
【０００１】
本発明は魚礁ブロックに関し、特に多様な海洋生物による豊かな魚礁を構築可能な魚礁ブロックに関する。
【背景技術】
【０００２】
魚礁ブロックは、海底に複数配置することで魚礁を構築するためのブロックである。
コンブなどの藻類は、魚類の餌料になるほか、魚類が卵を産み付ける産卵場としての役割や、海流の流れを緩和して遊泳力の弱い稚魚などを守る休憩場の役割、外敵から身を守る逃避場の役割などを提供する。
フジツボ類やカンザシゴカイ類などの一次付着生物は様々な種類の魚類の餌料となる。また、一次付着生物はエビやカニなどの二次付着生物の棲み場にもなり、これらが混在することで魚類の餌場を提供する。
魚礁ブロックの表面にこれら藻類や付着生物を付着させることで、魚類の繁殖を促す魚礁を構築することができる。
魚礁ブロックに関する従来技術として、特許文献１〜３には、型枠で製作するコンクリート製の魚礁ブロックが開示されている。これらの魚礁ブロックは、型枠内へコンクリートを打設し、養生した後に脱型して製作し、これを海中に吊り下ろして海底に配置する。
【先行技術文献】
【特許文献】
【０００３】
【特許文献１】特開２０１３‐１７４６２号公報
【特許文献２】特開２０１１‐２５０７４７号公報
【特許文献３】特開平９−２８２３０号公報
【発明の概要】
【発明が解決しようとする課題】
【０００４】
従来技術には次のような欠点があった。
＜１＞表面が平滑なコンクリート面のみからなるため環境の変化に乏しく、繁殖する海洋生物の種類が極めて限定される。よって、多様な生態系を実現することができない。
＜２＞平面の組合せによる箱型形状からなるため、海流の影響を受けやすく、転倒・滑動しやすい。
＜３＞コンクリートの脱型作業が必要であるため、施工効率が悪く施工コストが嵩む。
【課題を解決するための手段】
【０００５】
以上の課題を解決する本発明の魚礁ブロックは、円柱状の本体部と、本体部の下端外周に周設されている基礎部と、を備え、本体部が本体枠とその内部の本体充填材を有し、基礎部が基礎枠とその内部に充填されている基礎充填材を有し、本体枠と基礎枠が金網型枠であることを特徴とする。
本構成によれば、多様な海洋生物が繁殖可能な豊かな魚礁を構築することができる。
【０００６】
本発明の魚礁ブロックは、本体充填材と基礎充填材がコンクリートであり、これらが本体枠の網目を介して一体化していてもよい。
本構成によれば、安定した形状のコンクリートの一体構造体を容易に製作することができる。
【０００７】
本発明の魚礁ブロックは、本体枠と基礎枠の少なくとも一方が、無端帯状の菱形金網からなる型枠材と、これを内側から形状保持する複数の形状保持材を有していてもよい。
本構成によれば、折り畳むことができるので、施工効率がよく、搬送コストが安い。
【０００８】
本発明の魚礁ブロックは、形状保持材が円環状の線材からなっていてもよい。
本構成によれば、簡易な構造で型枠材を形状保持できる。
【０００９】
本発明の魚礁ブロックは、本体孔または基礎孔の少なくとも一方を有していてもよい。
本構成によれば、孔内に魚類やカニなどの甲殻類の棲み場を提供できる。
【００１０】
本発明の魚礁ブロックは、本体管または基礎管の少なくとも一方を有していてもよい。
本構成によれば、管内に魚類や甲殻類が落ち着いて留まりやすい。
【００１１】
本発明の魚礁ブロックは、本体充填材の上方または基礎充填材の上方の少なくとも一方に定着空間を有していてもよい。
本構成によれば、魚礁ブロックの上部に、水中生物の棲み場を確保できる。
【００１２】
本発明の魚礁ブロックは、本体充填材と基礎充填材が水中コンクリートであってもよい。
本構成によれば、海中で打設できるため施工効率が非常に高い。
【００１３】
本発明の魚礁ブロックは、以上の構成を備えるため次の効果のうち少なくとも一つを備える。
＜１＞金網とコンクリートの組合せと、凹凸に富んだ複雑な表面形状によって、多様な海洋生物が繁殖可能な豊かな魚礁を構築することができる。
＜２＞金網が藻類の生長に必要な鉄イオンを溶出することで、藻類の繁殖を促すことができる。
＜３＞円柱の組合せによる渦流効果により、栄養源に富んだ水域を形成することができる。
＜４＞円柱の組合せであるため、海流の影響を受けにくく、転倒・滑動しにくい。
＜５＞側面視凸形状の安定した一体構造物を、型枠の脱型を必要とせず容易に製作することができる。
【図面の簡単な説明】
【００１４】
【図１】本発明の魚礁ブロックの説明図。
【図２】本体枠の表面の形状を表す図面代用写真。
【図３】本発明の魚礁ブロックを用いた魚礁の説明図。
【図４】実施例２の説明図（１）。
【図５】実施例２の説明図（２）。
【発明を実施するための形態】
【００１５】
以下、図面を参照しながら本発明の魚礁ブロックについて詳細に説明する。
【実施例１】
【００１６】
[魚礁ブロック]
＜１＞全体の構成（図１）。
本発明の魚礁ブロック１は、魚礁を構成するためのブロックである。
魚礁ブロック１は、円柱状の本体部１０と、本体部１０の下端外周に周設されている基礎部２０と、を備える二重管状の構造を呈する。
【００１７】
＜２＞本体部。
本体部１０は、藻類や付着生物を付着し繁殖させるための部分である。
本体部１０は、円筒状の本体枠１１と、本体枠１１の内部に充填されている本体充填材１２と、を有する円柱形状を呈する。
本例では、本体充填材１２としてコンクリートを採用する。ただし、これに限られず、モルタル、玉石、砕石、貝殻、鋼鉄スラグ、またはこれらの組合せであってもよい。
本例では、本体枠１１の周面を貫通し、本体充填材１２内に至る複数の本体孔１３と、本体孔１３内から本体枠１１の外側に突出する複数の本体管１４を更に備える。
【００１８】
＜２．１＞本体枠。
本体枠１１は、本体部１０の周面を構成する円筒状の金網捨て型枠である。
本例では、本体枠１１として円筒状に組んだメタルラス（エキスパンドメタル）を採用する。なお、本体枠１１の素材はこれに限られず、亀甲金網などであってもよい。要は本体充填材１２の漏れを防げる程度の網目を有する金網構造であればよい。
なお、本体枠１１に菱形金網を用いる例については実施例２で後述する。
【００１９】
＜２．１．１＞本体枠の表面の構造（図２）。
本発明の魚礁ブロック１は、本体枠１１が金網からなるため、打設時に本体枠１１の網目から滲出した本体充填材１２が、本体枠１１の表面を部分的に被覆した形状で硬化する。この凹凸のある表面形状によって、大きな表面積を確保し、藻類の種の付着率を高めることができる。
また、本体枠１１の内、本体充填材１２から露出している部分や本体充填材１２の天端より上の部分は、海水に晒されることによって、鉄粒子が鉄イオンとして僅かずつ海中に溶け出してゆく。鉄イオンは、藻類の生長を促すため、本体枠１１の露出部には藻類が繁殖しやすい。
一方、本体充填材１２の滲出硬化部には、不整形な表面形状を好むフジツボなどの付着生物が繁殖しやすい。
本発明の魚礁ブロック１は、以上のような複雑な表面構造によって、種類の異なる藻類と付着生物を混在して定着させ、これを餌料とする多様な魚類を集めることができる。
【００２０】
＜２．２＞本体孔。
本体孔１３は、魚類やカニなどの甲殻類の棲み場としての機能を有する孔である。
本体孔１３は、本体枠１１の表面から本体充填材１２内へ穿設する。
本例では、本体孔１３が本体充填材１２と本体枠１１の両側を貫通し、孔内に本体管１４が配置する。
なお、本体孔１３は本体充填材１２を貫通させず、本体充填材１２内までの深さとしてもよい。
【００２１】
＜２．３＞本体管。
本体管１４は、本体孔１３の抜き型枠としての機能を有する管体である。
本体管１４は、本体枠１１より外側に突出させる。これによって、管内に暗所を形成し、魚類や甲殻類が落ち着いて留まりやすい環境を確保することができる。
本例では、本体管１４として、円形鋼管を採用する。
なお、本体管１４の断面形状は円形に限られず、例えば角形鋼管などを採用してもよい。  
【００２２】
＜３＞基礎部。
基礎部２０は、藻類や付着生物を付着し繁殖させるとともに、魚礁ブロック１の設置の安定を図るための部分である。
基礎部２０は、円筒状の基礎枠２１と、本体枠１１と基礎枠２１の間に充填されている基礎充填材２２と、を有し、本体部１０の下端部の全周を覆う。
基礎部２０は、本例では、基礎枠２１の周面を貫通し、基礎充填材２２内に至る複数の基礎孔２３と、基礎孔２３内から基礎枠２１の外側に突出する複数の基礎管２４を更に備える。
基礎部２０の各部の構造は、本体部１０の各部と概ね共通するため、ここでは説明を省略する。
【００２３】
＜４＞定着空間。
本発明の魚礁ブロック１は、本体充填材１２の天端を本体枠１１の上端より低くして、本体枠１１内に海中生物を定着させる定着空間Ｓを形成してもよい。
同様に、基礎枠２１内における基礎充填材２２の天端より上部に定着空間Ｓを形成してもよい。
定着空間Ｓは、周囲を本体枠１１及び基礎枠２１に囲まれており、海流による影響を受けにくいため、魚類、藻類、付着生物、甲殻類などの水中生物の棲み場や休憩場としての機能を有する。
【００２４】
＜５＞魚礁ブロックの製作方法。
本発明の魚礁ブロック１は、以下の手順で製作することができる。
なお、ここでは魚礁ブロック１を陸上で製作する場合について説明する。製作後の魚礁ブロック１は、設置場所まで台船で搬送し、海底に吊り下ろして配置する。
（１）型枠用合板を地面に敷設し、型枠合板上に基礎枠２１を立設し、基礎枠２１内に基礎枠２１と同軸に本体枠１１を配置する。なお、本体枠１１及び基礎枠２１の表面には、予め本体管１４や基礎管２４を貫入するための孔を空けておく。
（２）本体枠１１及び基礎枠２１の孔に本体管１４と基礎管２４を貫入する。
（３）本体枠１１内に本体充填材１２を打設する。同様に基礎枠２１内に基礎充填材２２を打設する。この際、コンクリートを一体化させるため、基礎充填材２２は、本体充填材１２の硬化前、できれば本体充填材１２と同時に打設するのが望ましい。
（４）本体充填材１２及び基礎充填材２２を養生・硬化させることで、魚礁ブロック１が完成する。
なお、本手順は一例にすぎず、手順は施工の便宜に応じて適宜変更することができる。また、魚礁ブロック１を海中で製作する例については、実施例３で説明する。
【００２５】
＜５．１＞本体充填材と基礎充填材の一体性。
本発明の魚礁ブロック１は、本体枠１１が金網からなるため、本体充填材１２と基礎充填材２２が本体枠１１の網目を介して一体化して硬化する。
このため、側面視凸型の安定した形状を呈する一体構造の魚礁ブロック１を、型枠の脱型作業なしで容易に製作することができる。
【００２６】
＜６＞魚礁ブロックの渦流機能（図３）。
本発明の魚礁ブロック１は、円柱の二重管構造を呈するため、側方から流れる海流Ｆがその表面に沿って弧状に流れる。
複数の魚礁ブロック１で魚礁を構成すると、複数の魚礁ブロック１の間でこれらの弧状の海流Ｆが互いに衝突して混ざり合うことで、渦状の乱流が生じる。
乱流によって海底付近の海水が上下に攪拌されると、下層の栄養塩が表層に巻き上げられて、植物プランクトンの増殖を促す。植物プランクトンの増殖は、食物連鎖に従って、動物プランクトンや魚類の繁殖を促す。
本発明の魚礁ブロック１は、以上の機能によって栄養源に富んだ水域を形成することができる。
【実施例２】
【００２７】
[本体枠と基礎枠に菱形金網を用いる例]
本例では、本体枠１１及び基礎枠２１を、円筒形の菱形金網からなる型枠材１１ａ、２１ａと、型枠材１１ａ、２１ａを内部から展開して形状保持する形状保持材１１ｂ、２１ｂと、からなる、折り畳み自在な型枠で構成する（図４）。
なお、本体枠１１、基礎枠２１とも構成は同じなので、本体枠１１についてのみ説明する。
型枠材１１ａは、複数の列線を無端帯状に連結した菱形金網からなる。無端帯状とは、菱形金網の展開方向の両辺を接続したベルト状の形状を意味する。  
各列線は、端部をナックル加工して相互の抜け出しを防止する。
型枠材１１ａは列線の連結体であり、単独では筒体の形状保持性を持たない為、重ね合わせて畳んだ状態で搬送することができる。このため、搬送が容易で、保管スペースを取らない（図５）。
形状保持材１１ｂは、型枠材１１ａを円筒状に形状保持するための部材である。
本例では、形状保持材１１ｂとして、剛性を備えた複数の円環状の線材を採用する。これは、細径の鋼線を円環状に曲げ、両端を溶接して形成する。
形状保持材１１ｂの外径は、展開した型枠材１１ａの内径より若干大きく構成する。
型枠材１１ａは菱形金網であり円周方向に伸びるため、形状保持材１１ｂを型枠材１１ａの内部に押し込むと、形状保持材１１ｂの外側が型枠材１１ａを内側から外向きに均等に押圧し、型枠材１１ａを円筒状に形状保持する。
なお、形状保持材１１ｂは、円環状の線材に限られず、型枠材１１ａの内部から押圧可能であれば、例えば円筒円環状のベルト材などであってもよい。
本例の場合、実施例１の効果に加えて次のような効果を更に奏する。
（１）組立が容易で施工効率がよい。
（２）折り畳むことができるので、搬送が容易で搬送コストが安い。
（３）折り畳み時の嵩が小さいので場所を取らず保管が容易である。
（４）菱形金網とコンクリートの付着がよいため、両者が強固に連結することで、高い構造強度を発揮できる。
【実施例３】
【００２８】
[水中コンクリートを用いる例]
本例では、本体充填材１２及び基礎充填材２２を水中コンクリートとして、本体枠１１及び基礎枠２１内への打設を水中で行う。
水中コンクリートは、水中における材料の分離を減らすため、セルロース、アクリルなどの増粘剤を用いて粘性を高くしたコンクリートである。
従来技術では、陸上で魚礁ブロックを製作してから台船で輸送し、海底に吊り込む作業が必要であった。
本例の場合、本体枠１１と基礎枠２１のみを海底に配列し、水中でコンクリートを打設できるため、陸上における養生期間を削減でき、また、軽量の搬送で済むため、施工効率が非常に高い。
【符号の説明】
【００２９】
１      魚礁ブロック
１０    本体部
１１    本体枠
１１ａ  型枠材
１１ｂ  形状保持材
１２    本体充填材
１３    本体孔
１４    本体管
２０    基礎部
２１    基礎枠
２２    基礎充填材
２３    基礎孔
２４    基礎管
Ｆ      海流
Ｓ      定着空間
【図１】
2019030251.tif 000003
【図２】
2019030251.tif 000004
【図３】
2019030251.tif 000005
【図４】
2019030251.tif 000006
【図５】
2019030251.tif 000007